【事件の表示】
　特許第２８４９６８５号「遊戯機用の表示制御装置」の特許に対する特許異議の申立てについて、次のとおり決定する。
【結論】
　特許第２８４９６８５号の特許を維持する。
【理由】
（１）本件発明
　本件特許第２８４９６８５号の請求項１に係る発明（平成２年５月１１日出願、平成１０年１１月１３日設定登録。）は、特許明細書及び図面の記載からみて、その特許請求の範囲の請求項１に記載された事項により特定されるとおりのものである。
（２）申立ての理由の概要
　異議申立人後藤俊雄は、証拠として甲第１号証（特開平２−１２４１９０号公報）、甲第２号証（マイクロコンピュータ　カラーＣＲＴディスプレイ技法《電子科学シリーズ》８５、発行日：１９７９年８月３０日、鈴木八十二著、発行所：産報出版株式会社）及び甲第３号証（特開昭５３−１２４９１６号公報）を提出して、請求項１に係る発明は、特許法第２９条第２項の規定に違反してなされたものであるから、その特許を取り消すべき旨主張している。
　また、異議申立人伴俊光は、証拠として甲第１号証（実願昭５５−１２６９２６号（実開昭５７−４８９８６号）のマイクロフィルム）、甲第２号証（特開昭５３−１２４９１６号公報）及び甲第３号証（特開昭５６−２８７８３号公報）を提出して、請求項１に係る発明は、特許法第２９条第２項の規定に違反してなされたものであるから、その特許を取り消すべき旨主張している。
（３）甲各号証に記載された発明
　異議申立人後藤俊雄の提出した甲第１号証（特開平２−１２４１９０号公報）には、
「第１図、第２図において、パチンコ機の遊技盤１の表面には、ガイドレール２で囲われた遊技部３のほぼ中央に可変表示装置４・・・」（２頁左下欄末行〜同右下欄２行）
「特定入賞口６ａ，６ｂ，６ｃにはそれぞれ入賞球を検出するスイッチ（特定入賞球検出スイッチ）２１ａ，２１ｂ，２１ｃが設けられる。また、２３，２４は変動入賞装置５に設けられ、変動入賞装置５内に入賞した入賞球を検出するスイッチ（カウントスイッチ）と、変動入賞装置５内の連続作動口（後述する）に入賞した入賞球を検出するスイッチ（サイクルスイッチ）を示す。」（３頁左上欄４〜１２行）
「第１４図は制御系のブロック構成を示すもので、制御装置７６はＣＰＵ７７、ＲＯＭ７８、ＲＡＭ７９、バッファゲート、出力ポートならびにＲＯＭ７８とは別の外部フォントＲＯＭ８０ａ、８０ｂ等からなるマイクロコンピュータにて構成される。ＲＯＭ７８にはＣＰＵ７７を制御するプログラムデータや可変表示部（デジタル）４４の遊技用表示データ等が格納され、ＣＰＵ７７はプログラムデータおよび各スイッチ２１ａ〜２１ｂ、２２、２３、２４の検出信号等に基づいて、ＲＯＭ７８、ＲＡＭ７９とでデータの授受及び処理等を行い、出力ポートを介してデジタル４４、ランプ１８ａ〜１８ｇ、１９ａ、１９ｂ、２０ａ、２０ｂ、４２ａ〜４２ｆ、７２ａ〜７２ｃ、ＬＥＤ−Ａ，Ｂ、記憶個数表示部４６、停止表示ＬＥＤ５１ａ〜５１ｃ、飾りＬＥＤ５２ａ、５２ｂ、変動入賞装置５のソレノイド６１等を制御する。また、外部に接続した外部フォントＲＯＭ８０ａ、８０ｂにはメッセージや動画等の付加表示データが格納・・・」（４頁左下欄６行〜同右下欄６行）
「また、制御装置７６は分周回路が２ｍ秒毎に発生するリセット信号を割り込みとして用いており、したがってＣＰＵ７７は２ｍ秒毎に定期的に１回分のプログラムを実行する。」（５頁左上欄４〜７行）と記載されている。
　同甲第２号証（マイクロコンピュータ　カラーＣＲＴディスプレイ技法《電子科学シリーズ》８５、発行日：１９７９年８月３０日、鈴木八十二著、発行所：産報出版株式会社）には、
「マイコンを十分使いこなせるように企画したため、ＣＲＴディスプレイのカラー化の基本的考え方、及び、その製作方法、応用プログラムを紹介するものです。」（４頁１３〜１５行）と記載されており、その具体的な内容として、第１章カラーディスプレイの基本原理と動作、第２章ＣＲＴディスプレイとマイコンとの同期化、第３章カラーキャラクタディスプレイの設計、第４章カラーグラフィックディスプレイの設計、が記載されている。特に請求項１に係る発明に関連する記載として、下記のことが記載されている。
「白黒放送の場合のビデオ信号は、水平同期信号、水平帰線信号、垂直同期信号、垂直帰線信号と表示のためのデータ信号（これを輝度信号といいます）からなっていますが、ＮＴＳＣ方式のカラー放送では、前述信号以外に輝度信号の部分に色を指定する信号（これを色度信号といいます）をのせて、これをカラービデオ信号とする放送方式です。」（１０頁９行〜１１頁４行）
「この場合、キャラクタＲＡＭのデータはキャラクタジェネレータヘ、またカラーＲＡＭのデータは色選択回路へ、そして両者のデータがカラー映像信号変換回路によって混合され、テレビ画面に映し出されます」（７７頁２４行〜７８頁１行）
「このワード“Ａ”のＲｏｗ１のデータは、ＲＯＭから７ビット単位でパラレルに出力されるので、ワードシフト／ロードレジスタを用いて、テレビ画面の０番地のタイミングでロード信号により、パラレルロードし、７ＭＨｚの１クロックパルスごとに１ビットずつシリアル変換していきます。これと同時に、カラーＲＡＭの０番地よりカラー選択データが読み出されてきます。このカラーＲＡＭから４ビット単位でパラレルに出力されるカラー選択データも、カラーシフト／ロードレジスタを用いて、テレビ画面の０番地のタイミングでロード信号により４ビットパラレルにロードされます。４ビットパラレルにロードされた信号は、色選択回路に供給されます。従って、色選択回路の出力からは、カラー選択データによって指定された色度信号――この場合、赤色信号――が出力されます。そして、この赤色の色度信号と先にシリアルに変換された“Ａ”のＲｏｗ１のワードデータとが、カラー映像信号変換回路によってカラービデオ信号に変換されていきます。」（７８頁１８行〜７９頁７行、図３．４）
「一方、グラフィックとキャラクタとを同じテレビ番地に表示させたい場合があります。たとえば、図４．１０に示すように、緑グラフィックドットの上に青色の“Ａ”文字を表示したいとき、そのまま“Ａ”文字をグラフィック上に映し出す場合と、背面のグラフィックドットを一部くり抜いて“Ａ”文字を映し出す場合とがあります。ここで、前者を“２重表示”、後者を“くり抜き表示”と呼ぶことにします。この２重表示の場合、地肌になるグラフィックドットの色が、その上に映し出されるキャラクタの色とよく似ていると、文字が識別できなくなります。このようなときには、くり抜き表示を採用すればよく、本カラーＣＲＴディスプレイ装置では、両表示ができるように構成しました。つまり、キャラクタデータの優先回路、いいかえればカラーグラフィックドット消去回路をカラービデオ信号合成回路に付加することです。図４．１１は、この両表示方式を可能にしたカラービデオ信号合成回路です。この付加されるゲート（消去回路）のコントロール信号は、カラーキャラクタディスプレイ装置内にあるカラーＲＡＭ指定のカラー／キャラクタ選択データ（Ｄ０〜Ｄ７）のうち、ダミービットになっているカラー選択データＤ３を用いることにします。このように、カラー選択データの下位４ビット目Ｄ３をカラーグラフィックドット消去回路のコントロール信号にします。ここで、このＤ３信号が０レベルであれば、消去回路のゲートが導通して、カラーグラフィックドットが合成回路へ供給され、２重表示となります。一方、Ｄ３信号が１レベルであれば、消去回路のゲートが非導通となり、くり抜き表示となります。
　この２重表示か、くり抜き表示かの決定は、マイコン操作のプログラムによってなされますが、この場合のカラー選択データＤ０〜Ｄ３とキャラクタの色との対応は、表４．１になります。そこで、プログラム作成時には、この表を利用することになります。」（１２１頁８行〜１２３頁７行、図４．１０、図４．１１）
　同甲第３号証（特開昭５３−１２４９１６号公報）には、
「本発明は、マイクロプロセッサにより制御されるテレビゲーム機に関し、特にマイクロプロセッサにより制御されるテレビゲーム及び教育装置に用いられる新規且つ改良されたカラーパターン及び文字発生器に関するものである。」（１頁右下欄１〜５行）
「レジスタファイル８７はカラーネットワーク９１を駆動するカラー情報信号を含む。レジスタファイルは表示用のＲＡＭ７３に格納されたカラー語によってアドレスされる。文字発生器用のＲＯＭ９３は、２５６の文字を有する。各文字は８×１２のドットマトリックスにより定められる。文字発生器用のＲＯＭ９３の所定ドットマトリックスは表示用ＲＡＭ７３からの文字語及びＴＶ同期信号、タイミング信号発生器８１からの行選択コードによりアドレスされて読み出される。文字用のＲＯＭから読み出されたドットは映像ネットワーク９７に供給される。」（４頁左上欄１５行〜同右上欄６行）
「レジスタファイル書き込み制御線１０３は、カラーフォーマットの信号がレジスタファイル８７に格納されるべき時に、マイクロプロセッサからの信号を伝送する。この制御は、データベース１０５を通してマイクロプロセッサから送られるデータにより命令される。」（４頁左下欄２〜８行）
「レジスタ８３の内容の一部は、マルチプレクサ８５によって選択される。この信号はライン１４７の制御信号に応じてバス１１９により供給される。マルチプレクサ８５はライン１４７の信号によって決定される２ビット（第２図参照）の情報を選択する。これは、ラスター走査表示画面の操作タイミングと同期している。上記の選択された２ビットはバス１２１を介してレジスタファイル８７をアドレスする。レジスタファイル８７は４個のカラー語の中の一つを読み出し、出力バス１２３を通してレジスタ８９に格納する。レジスタファイル８７から読み出されたカラー語は３ビット長の色を表すバイトを含む。色を表すバイトはカラーネットワーク９１にバス１２５を通して送られ、強度を表すバイトはライン１４９を介して映像ネットワーク９７に送られる。」（５頁左下欄９行〜同右下欄５行）
　と記載されている。
　異議申立人伴俊光の提出した甲第１号証（実願昭５５−１２６９２６号（実開昭５７−４８９８６号）のマイクロフィルム）には、
「中央処理装置ＣＰＵにより制御されているアドレスバス及びデータバスにＰ−ＲＯＭ１６、ＲＡＭ１７等のメモリが接続されている。」（５頁５〜８行）
「ＣＲＴ制御部１１は表示用ＲＡＭ１３のアドレスカウンタであって、静止画像表示中はマルチプレクサ１２が入力▲２▼を選択し、ＣＲＴ表示方法による表示部分に応じたビデオＲＡＭ１３のアドレスが選ばれ、その内容がＰＲＯＭより成るパターンジェネレータ１４、ヒューズＲＯＭより成るカラージェネレータ１５を通して映像信号に変換されてブラウン管２に表示される。」（５頁１６行〜６頁３行）
「クロック発生器１８はＣＰＵ及びＣＲＴ制御部１１に基本クロックを供給しているもので周波数は不変である。遊技者が操作しうるスタートボタン、ストップボタン、ＢＥＴボタン等に係る接点４’５’６’７’・・・７’の状態信号は入力スイッチ制御部２０、バッファ２１及びデータバスを介してＣＰＵに取り込まれ、」（６頁１４〜末行）
　と記載されている。
　同甲第２号証（特開昭５３−１２４９１６号公報）は異議申立人後藤俊雄の甲第３号証と同じでる。
　同甲第３号証（特開昭５６−２８７８３号公報）には、
「制御装置２５は第５図に示す如く、マイクロコンピュータ構成の中央処理装置（以下ＣＰＵという）２６を有し、このＣＰＵ２６によってＣＲＴ表示回路２７を制御する。ＣＲＴ表示回路２７はビデオＲＡＭ３１を有し、このビデオＲＡＭ３１に第４図の表示パターンを得るための表示画像データが記憶されている。」（２頁右下欄１７行〜３頁左上欄３行）
「かかるＣＰＵ２６とＣＲＴ表示回路２７へのデータないし制御信号のやりとりはプログラムメモリを構成するプログラムＲＯＭ４５のプログラムに応じて実行される。特定入賞口８には入賞検出器５１が設けられ、その入賞検出出力がレシーバ５２、入力バスセレクタ４２、データバスチャネル４４及びデータバス４３を介してＣＰＵ２６に入力される。」（３頁右上欄８〜１５行）
　と記載されている。
（４）対比・判断
　請求項１に係る発明と上記甲各号証記載の発明とを対比すると、上記甲各号証には、請求項１に係る発明の遊戯機用の表示制御装置において、その構成要件である「図柄表示装置表示画面を少なくとも１区域以上に分割した各区域における図柄用色彩と地色とをそれぞれ指定する色彩信号記録用レジスタファイルと、該色彩信号記録用レジスタファイルヘの色彩データ書き込み手段と、図柄と地とを区別指定する１ビットの信号による色彩信号記録用レジスタファイルからの色彩データ読み出し手段と、該色彩信号記録用レジスタファイルから読み出した色彩データと前記図柄データとの合成手段」を備える点について記載も示唆もない。そして、請求項１に係る発明は、上記点を備えることにより、「１画素毎の指令図柄データには色彩データを必要とせず、従って、記憶装置の記憶容量を少なくし、また、データ伝送時間を短くできる」という明細書記載の効果を奏するものである。
　したがって、請求項１に係る発明は、上記甲各号証に記載された発明により当業者が容易に発明することができたものとすることはできない。
　なお、異議申立人後藤俊雄提出の甲第１号証（特開平２−１２４１９０号公報）の公開日は、本件発明の出願日と同日（平成２年５月１１日）であり、上記甲第１号証刊行物が公知であるか否か明確ではないが、上記の判断は異議申立人に有利な「公知」と解して行ったものである。また、上記甲第１号証のものが「公知」でない場合、即ち先願発明であるとした場合であっても、上記甲第１号証には上記（４）対比・判断で述べたような請求項１に係る発明の構成を備えていないので、請求項１に係る発明と同一であるとすることはできない。また、この場合における上記甲第１号証のものを除いた甲各号証の容易性の判断は、上記で述べたものと同じである。
（５）むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月１６日（１９９９．１１．１６）